(57)【要約】【課題】本発明の課題は、光源ランプの冷却を効果的に行うことができ、また構成が簡単で且つ取り扱い易い美容装置を提供することである。【解決手段】光源ランプ７を収納したヘッド部３と、ハンドル部５とを備え、光源ランプ７からの光を皮膚に照射する美容装置１であって、ヘッド部３は通気孔２１と、通風ファン１３とを備え、ファン１３の駆動により通気孔２１からヘッド部３内に通風して、ヘッド部３内の光源ランプ７を冷却するようにした。【選択図】  図１
2005000582.tif 000002
【特許請求の範囲】
【請求項１】
光源ランプを収納したヘッド部と、ハンドル部とを備え、光源ランプからの光を皮膚に照射する美容装置であって、ヘッド部は通気孔と、通風ファンとを備え、ファンの駆動により通気孔からヘッド部内に通風して、ヘッド部内の光源ランプを冷却することを特徴とする美容装置。
【請求項２】
ヘッド部内の通風路は、通風方向の中間部の幅が通風方向両端の幅よりも狭まっていることを特徴とする請求項１記載の美容装置。
【請求項３】
通風路は、略円弧形状に形成されていることを特徴とする請求項２に記載の美容装置。
【請求項４】
ヘッド部の内壁面には熱を反射する熱反射部材を備え、通風路に向けて熱を反射していることを特徴とする請求項１乃至３の何れかに記載の美容装置。
【請求項５】
光源ランプはその周りが放熱部材で囲まれており、放熱部材が通風路内に露出していることを特徴とする請求項１乃至４の何れかに記載の美容装置。
【発明の詳細な説明】
【０００１】
【発明の属する技術分野】
本発明は、美容装置に関するものである。
【０００２】
【従来の技術】
レーザ光を皮膚に照射して脱毛を図る美容装置は、レーザ光を発する光源ランプを備えている。ところが、光源ランプを収納したヘッド部が高温になると、光源ランプの安定動作と寿命に多大な影響を与え、安定的に長時間動作させるためにはヘッド部、特に光源ランプの冷却が必要であった。
【０００３】
一方、美容装置において、皮膚を冷却するために、ヘッド部内に冷却水を循環させる方法が開示されている（特許文献１）。そして、光源ランプの冷却においても、このようにヘッド部内に冷却水を循環させることが考えられる。
【０００４】
【特許文献１】
特開２００２−１１１０６号公報
【０００５】
【発明が解決しようとする課題】
しかし、上述の方法では、ヘッド部内に冷却水の循環流路を設ける必要があり、ヘッド部の構成が複雑且つ大型になり、取り扱い難いという問題点があった。また、冷却水の供給パイプをヘッド部に接続する必要があることから、装置全体の構成も複雑且つ大型になって取り扱い難いという問題点があった
本発明は、光源ランプの冷却を効果的に行うことができ、また構成が簡単で且つ取り扱い易い美容装置を提供することを目的とする。
【０００６】
【課題を解決するための手段】
請求項１に記載の発明は、光源ランプを収納したヘッド部と、ハンドル部とを備え、光源ランプからの光を皮膚に照射する美容装置であって、ヘッド部は通気孔と、通風ファンとを備え、ファンの駆動により通気孔からヘッド部内に通風して、ヘッド部内の光源ランプを冷却することを特徴とする。
【０００７】
この請求項１に記載の発明では、光源ランプの照射が開始されると、ヘッド部内のファンが回転を開始し、これに伴い、一方の通気孔から外気が取り込まれる。通気孔から導入された空気は、ヘッド部内の通風路を通過しつつ、ヘッド部内の光源ランプを冷却する。そして、光源ランプを冷却した空気は、他方側の通風孔を通過して機外に排出される。
【０００８】
このように、ファンの駆動により通気孔からヘッド部内に通風して、ヘッド部内の光源ランプを冷却できるので、ヘッド部の構造を簡単にすることができ、装置の小型化を図ることができる。また、ヘッド部内の装置だけで冷却を行うことができ、別途供給パイプをヘッド部に接続する必要がないことから、装置全体の構成を簡単にできる。したがって、美容装置の小型化を図ることができ、軽量且つ取り扱いが容易である。
【０００９】
請求項２に記載の発明は、請求項１記載の発明において、ヘッド部内の通風路は、通風方向の中間部の幅が通風方向両端の幅よりも狭まっていることを特徴とする。
【００１０】
この請求項２に記載の発明では、請求項１記載の発明と同様の作用効果を奏するとともに、通風路の中間部の幅が狭まっているので、中間部における空気の流れが速まり、光源ランプの冷却効果を高めることができる。
【００１１】
請求項３に記載の発明は、請求項２記載の発明において、通風路は、略円弧形状に形成されていることを特徴とする。
【００１２】
この請求項３に記載の発明では、請求項２に記載の発明と同様の作用効果を奏するとともに、通風路を円弧形状に形成しているので、この形状に沿ってスムーズに空気が流れ、光源ランプの冷却効果をさらに高めることができる。
【００１３】
請求項４に記載の発明は、請求項１乃至３の何れかに記載の発明において、ヘッド部の内壁面には熱を反射する熱反射部材を備え、通風路に向けて熱を反射していることを特徴とする
【００１４】
請求項４に記載の発明では、請求項１乃至３の何れかに記載の発明と同様の作用効果を奏するとともに、熱反射部材によって光源ランプから発生した熱が通風路に向けて反射されるので、ヘッド部の壁に熱が吸収されることを防止できるとともに、ヘッド部内の熱は通風路から外部に放出されて、装置全体が高温になることを防止できる。
【００１５】
請求項５に記載の発明は、請求項１乃至４の何れかに記載の発明において、光源ランプはその周りが放熱部材で囲まれており、放熱部材が通風路内に露出していることを特徴とする。
【００１６】
請求項５に記載の発明では、請求項１乃至４の何れかに記載の発明と同様の作用効果を奏するとともに、光源ランプを囲む放熱部材が通風路内に露出しているので、光源ランプで発生した熱を通風路内に排出することができ、光源ランプが高温になるのを防止して光源ランプの寿命を延ばすことができる。
【００１７】
【発明の実施の形態】
以下、添付した図面を参照しながら本発明の実施の形態を詳細に説明する。図１は本発明に係る美容装置の平面図、図２は図１のＡ−Ａ断面図、図３は図４に係る美容装置の分解斜視図、図４は本発明の美容装置の全体を示す斜視図である。
【００１８】
本実施の形態に係る美容装置１は、レーザ光を発する光源ランプ（Ｘｅランプ）７を収納したヘッド部３と、美容装置１の持ち部となるハンドル部５とを備えており、ヘッド部３を皮膚に当てて、レーザ光を皮膚に照射することにより脱毛を行うものである。
【００１９】
ヘッド部３の先端には、ヘッド部３に対して脱着自在な皮膚接触ユニット９が設けられており、この皮膚接触ユニット９にはヘッド部３内側に位置する光源ランプ７と、ヘッド部３の外側に位置する石英ガラス（フィルタ）１１とが設けられており、光源ランプ７の交換が容易に行えるようになっている。また、石英ガラス１１は、光源ランプ７から照射されたレーザ光のうち、メラニン吸収度の高い波長をカットし皮膚へのダメージを抑えるようにしている。
【００２０】
ハンドル部５は、光源ランプ７、スイッチ１５、及び後述するファン１３等の制御回路１７を収納しており、電源コード１９を介して図示しない電源の供給を受けて美容装置１を駆動している。また、本実施の形態に係る美容装置１は、波長、パルス幅、パルスサイクル、パルス反復回数、エネルギー値を細かく可変できるよう設定されている。具体的には、波長は５７５ｎｍ〜１０８０ｎｍ，パルス幅は０．５ｍｓ〜８ｍｓ、パルスサイクルは１０ｍｓ〜９９ｍｓ、パルス反復回数は１Ｈｚ〜３Ｈｚ、照射エネルギーは１Ｊ〜２５Ｊの範囲内で変更できる。
【００２１】
ヘッド部３を覆うカバーの両側には、短冊状の通気孔２１が形成されている。また、ヘッド部３内の通気孔２１の近傍位置には、左右一対のファン１３（流入側のファン１３ａ、排出側のファン１３ｂ）が設けられており、ファン１３の回転により、外気をヘッド部３内に導入し且つ反対側の通気孔２１からヘッド部３内の空気を外部に放出している。尚、ファン１３は回転数を変更することで風量の増減を行っている。
【００２２】
また、ヘッド部３の内部は、一方の通気孔２１から流入した空気が他方の通気孔２１へと抜ける通風路２３となっており、通風路２３内の通風方向の中央付近に光源ランプ７が位置している。また、通風路２３は、その背面側が略円弧形状の壁２４となっており、通風路２３内の熱がハンドル部５内に収納された制御回路１７に影響を与えないようになっている。
【００２３】
光源ランプ７は、皮膚接触ユニット９の基板２５に取り付けられており、光源ランプ７の周りは円弧状に湾曲した形状のアルミニウム材等からなる第１放熱部材２７で囲まれている。そして、第１放熱部材２７が通風路２３内に露出することにより、光源ランプ７から発した熱が、第１放熱部材２７から通風路２３内に向けて放熱されるようになっている。
【００２４】
さらに、皮膚接触ユニット９の前面側に位置する石英ガラス１１も、その周りがアルミニウム材等の第２放熱部材２９で覆われており、石英ガラス１１内に溜まった熱を外部に向けて放熱している。
【００２５】
ヘッド部３の内壁面、特に通風路２３内の上下の壁と背面側の壁２４にはアルミニウム箔（熱反射部材）３１を設けており、通風路２３に向けて熱を反射している。このように、熱反射部材３１によって熱が通風路２３に向けて反射されるので、ヘッド部３の壁に熱が吸収されることを防止できるとともに、ヘッド部３内の熱は通風路２３から外部に放出され、ヘッド部３が高温になることを防止している。
【００２６】
また、ヘッド部３の内面壁には電磁波吸収塗料が塗布されており、光源ランプ７から放出される電磁波が外部に漏れないようになっている。
【００２７】
次に、上記した構成に基づき、本実施の形態の作用を説明する。本実施の形態に係る美容装置１を使用する際には、美容装置１のハンドル部５を手に持ち、ヘッド部３の皮膚接触ユニット９を皮膚に当てる。そして、ハンドル部５のスイッチボタン１５ａを押すことで、光源ランプ７からレーザ光が発し、ヘッド部３前面の石英ガラス１１を通過したレーザ光が皮膚に照射される。尚、上述したように、光源ランプ７のパルス幅等は図示しない制御ボックスにおいて自由に設定できるようになっている。
【００２８】
光源ランプ７の照射が開始されると、ヘッド部３内のファン１３が回転を開始し、これに伴い、一方の通気孔２１から外気が取り込まれる。通気孔２１から導入された空気は、ヘッド部３内の通風路２３を通過しつつ、ヘッド部３内の光源ランプ７を冷却する。そして、光源ランプ７を冷却した空気は、他方側の通風孔２１を通過して機外に排出される。
【００２９】
このように、ファン１３の駆動により通気孔２１からヘッド部３内に通風するだけで、ヘッド部３内の光源ランプ７を冷却できるので、ヘッド部３の構造を簡単にすることができ、装置全体の小型化も図ることができる。また、ヘッド部３内の装置だけで冷却を行うことができるので、冷却水を使う場合のように冷却水をヘッド部３内に導くための接続管を別途設ける必要もなく、装置全体の構成を簡単にできる。したがって、美容装置１の小型化を図ることができ、軽量且つ取り扱いが容易である。
【００３０】
また、光源ランプ７から発した熱は、光源ランプ７を覆う第１放熱部材２７から通風路２３内に向けて放熱され、通気孔２１から流入した空気とともに機外に排出されるので、光源ランプ７から発した熱を効率良く放熱できる。
【００３１】
また、通風路２３は、その背面側が通風路２３の中央部分が狭くなった略円弧形状の壁２４となっているので、一方の通気孔２１から流入した空気が、通風路２３の中央部分で流速が速まることで、光源ランプ７から発した熱の放熱効果がさらに高まる。以上のように、光源ランプ７から発する熱を効率的に放熱しているので、光源ランプ７が高温になるのを防止でき、光源ランプ７の寿命を延ばすことができる。例えば、水冷式の脱毛器の場合は、２万回の使用により光源ランプ７の交換を行っていたが、本実施の形態に係る脱毛器１の場合は、８万回〜１０万回の使用まで耐えられるようになっている。
【００３２】
上述のような実施の形態に限定されず、その要旨を逸脱しない範囲内において種々の変形が可能である。例えば、ファン１３はヘッド部３の通風路２３の両端に２つ設けたが、これに限定されず１つであっても良いし、３つ以上であっても良い。
【００３３】
また、図２に示すように、第１放熱部材２７と第２放熱部材２９とは、互いに隙間を設けているが、第２放熱部材２９の背面側の位置で第１放熱部材２７と直接つながるようにしても良い。このように両者を直接つなげることで、光源ランプ７から発した熱を第１放熱部材２７及び第２放熱部材を介して、容易に外部に放熱することができる。
【００３４】
ファン１３は、光源ランプ７の照射に合わせて駆動するようにしたが、光源ランプ７とは別に制御しても良く、例えばヘッド部３内に温度センサを備えて、センサの検知結果に基づいて、ファン１３が駆動するようにしても良い。
【００３５】
本実施の形態では、美容機器１として皮膚に光源ランプ７の光を照射して脱毛を図る機器について説明したが、これに限定されず、光源ランプ７の波長、パルス幅、パルスサイクル等を細かく変更することで、脱毛以外の種々の用途に適用することができ、例えば皮膚の活性を図ることで、美肌効果等を得ることもできる。
【００３６】
【発明の効果】
請求項１に記載の発明では、ファンの駆動により通気孔からヘッド部内に通風して、ヘッド部内の光源ランプを冷却できるので、ヘッド部の構造を簡単にすることができ、装置の小型化を図ることができる。また、ヘッド部内の装置だけで冷却を行うことができ、別途供給パイプをヘッド部に接続する必要がないことから、装置全体の構成を簡単にできる。したがって、美容装置の小型化を図ることができ、軽量且つ取り扱いが容易である。
【００３７】
請求項２に記載の発明では、請求項１記載の発明と同様の効果を奏するとともに、通風路の中間部の幅が狭まっているので、中間部における空気の流れが速まり、光源ランプの冷却効果を高めることができる。
【００３８】
請求項３に記載の発明では、請求項２に記載の発明と同様の効果を奏するとともに、通風路を円弧形状に形成しているので、この形状に沿ってスムーズに空気が流れ、光源ランプの冷却効果をさらに高めることができる。
【００３９】
請求項４に記載の発明では、請求項１乃至３の何れかに記載の発明と同様の効果を奏するとともに、熱反射部材によって光源ランプから発生した熱が通風路に向けて反射されるので、ヘッド部の壁に熱が吸収されることを防止できるとともに、ヘッド部内の熱は通風路から外部に放出されて、装置全体が高温になることを防止できる。
【００４０】
請求項５に記載の発明では、請求項１乃至４の何れかに記載の発明と同様の効果を奏するとともに、光源ランプを囲む放熱部材が通風路内に露出しているので、光源ランプで発生した熱を通風路内に排出することができ、光源ランプが高温になるのを防止して光源ランプの寿命を延ばすことができる。
【図面の簡単な説明】
【図１】本発明に係る美容装置の平面図である。
【図２】図１のＡ−Ａ断面図である。
【図３】図４に係る美容装置の分解斜視図である。
【図４】本発明の美容装置の全体を示す斜視図である。
【符号の説明】
１            美容装置
３            ヘッド部
５            ハンドル部
７            光源ランプ
１３          ファン
２１          通気孔
２３          通風路
２７          第１放熱部材（放熱部材）
２９          第２放熱部材（放熱部材）
３１          アルミニウム箔（熱反射部材）
【図１】
2005000582.tif 000003
【図２】
2005000582.tif 000004
【図３】
2005000582.tif 000005
【図４】
2005000582.tif 000006